(57)【特許請求の範囲】
【請求項１】
給湯装置から浴槽に湯水を供給するための給湯通路に設けられ、該給湯通路を開閉して前記浴槽の湯張りを制御する電磁弁と、該電磁弁よりも前記浴槽側に設けられて、前記給湯通路を閉じる閉弁方向に付勢されていると共に、前記電磁弁側の湯水の圧力が所定の開弁圧以上になると開弁する逆止弁と、前記給湯装置に供給される上水の圧力によって開弁バネの付勢力に抗して閉弁すると共に、該上水の圧力が低下すると開弁して前記逆止弁と前記電磁弁との間の湯水を排出する大気開放弁とを備え、前記浴槽内の湯水の追い焚きの際に該浴槽から湯水を吸い出して循環させる循環ポンプが該浴槽と前記逆止弁との間に接続された湯張制御装置において、
前記電磁弁は、前記給湯装置の水抜きが行われるか否かに関わらず、前記追い焚きで前記浴槽内の湯水を循環させるために動作した前記循環ポンプが停止すると、所定時間開弁して前記給湯装置からの湯水を通過させる
ことを特徴とする湯張制御装置。
【請求項２】
給湯装置から浴槽に湯水を供給するための給湯通路に設けられ、該給湯通路を開閉して前記浴槽の湯張りを制御する電磁弁と、該電磁弁よりも前記浴槽側に設けられて、前記給湯通路を閉じる閉弁方向に付勢されていると共に、前記電磁弁側の湯水の圧力が所定の開弁圧以上になると開弁する逆止弁と、前記給湯装置に供給される上水の圧力によって開弁バネの付勢力に抗して閉弁すると共に、該上水の圧力が低下すると開弁して前記逆止弁と前記電磁弁との間の湯水を排出する大気開放弁とを備え、前記浴槽内の湯水を吸い出して循環させる循環ポンプが該浴槽と前記逆止弁との間に接続された湯張制御装置において、
前記電磁弁は、前記循環ポンプの動作が停止した後、前記給湯装置の水抜きに際して操作される水抜きスイッチの操作が検出されたことを契機に開弁して、前記給湯装置からの湯水を通過させる
ことを特徴とする湯張制御装置。
【発明の詳細な説明】
【技術分野】
【０００１】
本発明は、給湯装置から湯張制御装置を介して浴槽に湯張りすると共に、浴槽内の湯水を吸い出して循環させる循環ポンプが浴槽と湯張制御装置との間に接続されたシステムに関し、詳しくは、給湯装置の水抜き時に湯張制御装置から水抜きする技術に関する。
【背景技術】
【０００２】
給湯装置で生成した湯を用いて浴槽に湯張りするシステムでは、給湯装置から浴槽に湯水を供給するための給湯通路に湯張制御装置が設けられている。この湯張制御装置は、電磁弁や逆止弁などで構成されている。電磁弁は給湯通路を開閉可能であり、電磁弁の開弁によって浴槽に湯張りされ、電磁弁の閉弁によって湯張りが停止される。逆止弁は、電磁弁の下流側（浴槽側）に設けられ、給湯通路を閉じる閉弁方向に付勢されている。電磁弁の開弁によって給湯装置から供給される湯水の圧力が所定の開弁圧を上回ると、逆止弁が開弁して湯水を通過させる。一方、湯張り中に断水などの理由で給湯装置への上水の供給圧力が低下し、給湯装置から供給される湯水の圧力が低下した場合には、逆止弁が閉弁するので、浴槽内の汚水が給湯通路を通って給湯装置側に逆流することを阻止する。
【０００３】
また、こうした湯張制御装置では、逆止弁と電磁弁との間に大気開放弁を接続することが提案されている（例えば、特許文献１）。大気開放弁は、開弁バネによって開弁方向に付勢されており、上水の供給圧力を受けることで開弁バネの付勢力に抗して閉弁状態になる。そして、上水の供給圧力が低下すると、大気開放弁が開弁バネの付勢力で開弁して、逆止弁と電磁弁との間の湯水を排出する。そのため、何らかの理由で逆止弁の閉弁が不完全であった場合でも、浴槽側から給湯装置側に汚水が逆流することを防止することが可能となっている。加えて、大気開放弁は、給湯装置の水抜きの際にも、給水元栓を閉じて上水の供給が停止されるのに伴って開弁するので、逆止弁と電磁弁との間の水抜きが可能である。
【０００４】
さらに、このような湯張制御装置では、浴槽内の湯水の追い焚きなどのために浴槽から湯水を吸い出して循環させる循環ポンプが、浴槽と逆止弁との間に接続されていることがある（例えば、特許文献２）。
【先行技術文献】
【特許文献】
【０００５】
【特許文献１】特開２００９−２７０６９８号公報
【特許文献２】特開２００８−２９８１０９号公報
【発明の概要】
【発明が解決しようとする課題】
【０００６】
しかし、循環ポンプが逆止弁の下流側（浴槽側）に接続された湯張制御装置では、給湯装置の水抜きを行っても、逆止弁と電磁弁との間の水抜きができない場合があるという問題があった。これは次のような理由による。まず、循環ポンプが作動して浴槽から湯水を吸い出すのに伴って、湯張制御装置の逆止弁の下流側には負圧が発生する。その負圧と大気圧との差が逆止弁の開弁圧と大気圧との差を上回ると、逆止弁が開弁し、逆止弁と電磁弁との間が負圧になる。そして、循環ポンプが動作を停止すると、逆止弁が閉弁して逆止弁と電磁弁との間に負圧が保持されたままとなる。この保持された負圧によって大気開放弁を閉弁側に引きつける力が開弁バネの付勢力よりも強い場合には、給湯装置の水抜きの際に給水元栓を閉じて上水の供給が停止されても、大気開放弁が開弁しないので、逆止弁と電磁弁との間の水が抜けずに残ってしまう。
【０００７】
この発明は従来の技術における上述した課題に対応してなされたものであり、循環ポンプが逆止弁の下流側に接続された湯張制御装置から容易に水抜きすることが可能な技術の提供を目的とする。
【課題を解決するための手段】
【０００８】
上述した課題を解決するために、本発明の第１の湯張制御装置は次の構成を採用した。すなわち、
給湯装置から浴槽に湯水を供給するための給湯通路に設けられ、該給湯通路を開閉して前記浴槽の湯張りを制御する電磁弁と、該電磁弁よりも前記浴槽側に設けられて、前記給湯通路を閉じる閉弁方向に付勢されていると共に、前記電磁弁側の湯水の圧力が所定の開弁圧以上になると開弁する逆止弁と、前記給湯装置に供給される上水の圧力によって開弁バネの付勢力に抗して閉弁すると共に、該上水の圧力が低下すると開弁して前記逆止弁と前記電磁弁との間の湯水を排出する大気開放弁とを備え、前記浴槽内の湯水の追い焚きの際に該浴槽から湯水を吸い出して循環させる循環ポンプが該浴槽と前記逆止弁との間に接続された湯張制御装置において、
前記電磁弁は、前記給湯装置の水抜きが行われるか否かに関わらず、前記追い焚きで前記浴槽内の湯水を循環させるために動作した前記循環ポンプが停止すると、所定時間開弁して前記給湯装置からの湯水を通過させる
ことを特徴とする。
【０００９】
かかる本発明の第１の湯張制御装置においては、浴槽に湯張りするために電磁弁を開弁するだけでなく、追い焚きで浴槽内の湯水を循環させるために動作した循環ポンプが停止した後にも、電磁弁を所定時間だけ開弁して給湯装置からの湯水を通過させることで、循環ポンプの吸引によって生じた逆止弁と電磁弁との間の負圧を解消することができる。こうして負圧を解消しておけば、追い焚き（循環ポンプによる浴槽内の湯水の循環）が行われた後であっても、給湯装置の水抜きの際に給水元栓を閉じるのに伴って上水の供給圧力が低下すると、大気開放弁が開弁するので、逆止弁と電磁弁との間の水を大気開放弁から容易に排出することが可能となる。
【００１０】
また、前述した課題を解決するために、本発明の第２の湯張制御装置は次の構成を採用した。すなわち、
給湯装置から浴槽に湯水を供給するための給湯通路に設けられ、該給湯通路を開閉して前記浴槽の湯張りを制御する電磁弁と、該電磁弁よりも前記浴槽側に設けられて、前記給湯通路を閉じる閉弁方向に付勢されていると共に、前記電磁弁側の湯水の圧力が所定の開弁圧以上になると開弁する逆止弁と、前記給湯装置に供給される上水の圧力によって開弁バネの付勢力に抗して閉弁すると共に、該上水の圧力が低下すると開弁して前記逆止弁と前記電磁弁との間の湯水を排出する大気開放弁とを備え、前記浴槽内の湯水を吸い出して循環させる循環ポンプが該浴槽と前記逆止弁との間に接続された湯張制御装置において、
前記電磁弁は、前記循環ポンプの動作が停止した後、前記給湯装置の水抜きに際して操作される水抜きスイッチの操作が検出されたことを契機に開弁して、前記給湯装置からの湯水を通過させる
ことを特徴とする。
【００１１】
このような本発明の第２の湯張制御装置では、循環ポンプによる湯水の循環が終了する毎に電磁弁を開弁する必要がなく、循環ポンプの動作が停止した後に水抜きスイッチの操作が検出された場合にだけ電磁弁を開弁すればよいので、より簡便に逆止弁と電磁弁との間の水抜きを実現することが可能となる。
【図面の簡単な説明】
【００１２】
【図１】実施例の風呂給湯システム１の全体構成を示した説明図である。
【図２】本実施例の湯張制御装置１００の内部の構造を示した説明図である。
【図３】湯張制御装置１００からの水抜きの様子を示した説明図である。
【図４】湯張制御装置１００内の水抜きができない場合を例示した説明図である。
【図５】コントローラ５０によって実行される電磁弁制御処理を示すフローチャートである。
【発明を実施するための形態】
【００１３】
図１は、本実施例の湯張制御装置１００を備える風呂給湯システム１の全体構成を示した説明図である。図示されるように風呂給湯システム１は、湯を生成する給湯装置１０と、風呂の浴槽２と、給湯装置１０から浴槽２に湯水を供給するための給湯配管２０と、給湯配管２０の途中に設けられた湯張制御装置１００と、浴槽２内の湯水を給湯装置１０に戻して循環させるための循環配管３０などを備えている。尚、本実施例の風呂給湯システム１は、浴槽２に湯を溜める湯張り機能に加えて、浴槽２内の湯水を再度加熱する追い焚き機能を有している。また、本実施例では、給湯配管２０が本発明における「給湯通路」に対応する。
【００１４】
給湯装置１０は、燃料ガスを燃焼させる給湯バーナー１２および風呂バーナー１３と、これらのバーナーに燃焼用空気を供給する燃焼ファン１１と、給湯バーナー１２の上方に設けられた給湯熱交換器１４と、風呂バーナー１３の上方に設けられた風呂熱交換器１５などを備えている。燃料ガスを供給するガス配管６は２つに分岐して給湯バーナー１２および風呂バーナー１３に接続されており、分岐した各配管を開閉する給湯ガス電磁弁７および風呂ガス電磁弁８が設けられている。
【００１５】
給湯熱交換器１４には、給水配管４を通じて上水が供給されており、供給された上水は、給湯熱交換器１４で給湯バーナー１２の燃焼排気との熱交換によって加熱された後、湯となって給湯配管２０へと流出する。給湯熱交換器１４に接続された給水配管４の途中には、給湯装置１０から水抜きするための水抜栓３が設けられている。また、給水配管４の水抜栓３よりも上流側には、給水配管４を開閉する給水元栓４ａが設けられており、給湯装置１０の水抜きの際には、給水元栓４ａを手動で閉じて上水の供給を停止する。
【００１６】
給湯熱交換器１４の下流側に接続された給湯配管２０は２つに分岐しており、一方は湯張制御装置１００に接続され、他方は経路途中に水抜栓２１を備えると共にカラン２２に接続されている。また、湯張制御装置１００には、給水配管４から分岐した上水圧力配管５が接続されている。更に、湯張制御装置１００は、風呂給湯システム１を制御するコントローラ５０と電気的に接続されている。尚、湯張制御装置１００の詳細については別図を用いて後述する。
【００１７】
循環配管３０は、浴槽２に開口する循環金具３６と風呂熱交換器１５の上流側とを接続する風呂戻り配管３２、および風呂熱交換器１５の下流側と循環金具３６とを接続する風呂往き配管３４で構成されている。風呂戻り配管３２には、循環ポンプ３８が設けられており、この循環ポンプ３８は、コントローラ５０と電気的に接続されている。追い焚きのために循環ポンプ３８を作動させると、浴槽２から吸い出された湯水が風呂戻り配管３２を通じて風呂熱交換器１５に送られる。風呂熱交換器１５に送られた湯水は、風呂バーナー１３の燃焼排気との熱交換によって再度加熱された後、風呂往き配管３４を通じて浴槽２に再び供給される。
【００１８】
また、循環ポンプ３８は、湯張制御装置１００よりも下流側で給湯配管２０と接続されている。湯張り時に給湯熱交換器１４から給湯配管２０に流出した湯水は、湯張制御装置１００を通過すると、風呂往き配管３４および風呂戻り配管３２を介して浴槽２に供給される。
【００１９】
図２は、本実施例の湯張制御装置１００の内部の構造を示した説明図である。図示されるように本実施例の湯張制御装置１００は、電磁弁１０３と、流量センサー１０２と、フィルター１０１と、２つの逆止弁（第１逆止弁１０４および第２逆止弁１０５）と、大気開放弁１０６などを備えている。尚、本実施例の湯張制御装置１００では、直列接続の２つの逆止弁を備えているが、必ずしも２つの逆止弁を備える必要はなく、上流側（電磁弁１０３側）の第１逆止弁１０４は省略してもよい。また、本実施例では、下流側の第２逆止弁１０５が本発明の「逆止弁」に対応する。
【００２０】
電磁弁１０３は、給湯配管２０を開閉することが可能であり、コントローラ５０によって開閉動作が制御される。流量センサー１０２は、電磁弁１０３よりも上流側（給湯装置１０側）に設けられており、給湯配管２０を通過する湯水の流量を検出してコントローラ５０に出力する。また、フィルター１０１は、流量センサー１０２よりも上流側に設けられており、給湯装置１０からの湯水に混入する異物を除去することにより、流量センサー１０２や電磁弁１０３が異物の噛み込みなどで正常に動作しなくなる事態を防止する。
【００２１】
第１逆止弁１０４および第２逆止弁１０５は、電磁弁１０３よりも下流側（浴槽２側）に直列に設けられている。第１逆止弁１０４および第２逆止弁１０５の構造は基本的に同様であり、給湯配管２０を開閉する弁体１０４ａ，１０５ａと、給湯配管２０を閉じる閉弁方向に弁体１０４ａ，１０５ａを付勢する閉弁バネ１０４ｂ，１０５ｂとを備えている。電磁弁１０３を開くことで給湯装置１０から供給される湯水の圧力が上昇し、所定の開弁圧以上になると、閉弁バネ１０４ｂの付勢力に抗して弁体１０４ａが給湯配管２０を開く開弁方向に移動し、第１逆止弁１０４が開弁状態となる。続いて、第２逆止弁１０５も同様に、閉弁バネ１０５ｂの付勢力に抗して弁体１０５ａが開弁方向に移動し、開弁状態となることで、湯水を通過させて浴槽２に湯張りが行われる。一方、湯張り中に断水などの理由で給湯装置１０から供給される湯水の圧力が開弁圧よりも低下すると、閉弁バネ１０４ｂ，１０５ｂの付勢力によって弁体１０４ａ，１０５ａが閉弁方向に押し戻され、第１逆止弁１０４および第２逆止弁１０５が閉弁状態となるので、浴槽２側から給湯装置１０側への湯水の逆流を阻止する。尚、逆止弁１０４，１０５の開弁圧は、閉弁バネ１０４ｂ，１０５ｂの付勢力によって定まる。
【００２２】
また、第１逆止弁１０４と第２逆止弁１０５との間に接続された大気開放弁１０６は、ダイヤフラムに支持された弁体１０６ｃによって一次室１０６ａと二次室１０６ｂとに仕切られた構造になっている。一次室１０６ａには、上水圧力配管５を通じて上水が導かれている。一方、二次室１０６ｂには、第１逆止弁１０４と第２逆止弁１０５との間の湯水が導かれると共に、弁体１０６ｃを一次室１０６ａ側に付勢する開弁バネ１０６ｄが設けられている。通常は、給湯装置１０を介して第１逆止弁１０４と第２逆止弁１０５との間に供給される湯水の圧力に比べて上水の圧力の方が高く、開弁バネ１０６ｄの付勢力に抗して弁体１０６ｃが二次室１０６ｂ側に押し込まれる結果、大気開放弁１０６は閉弁状態となっている。ところが、断水などの理由で上水の圧力が低下すると、開弁バネ１０６ｄの付勢力で弁体１０６ｃが一次室１０６ａ側に押し戻されて、大気開放弁１０６が開弁状態となる。その結果、第１逆止弁１０４と第２逆止弁１０５との間の湯水が排出されるので、仮に第１逆止弁１０４や第２逆止弁１０５の閉弁が不完全であった場合でも、浴槽２側から給湯装置１０側への湯水の逆流を防止することができる。
【００２３】
以上のような本実施例の湯張制御装置１００では、冬期に配管内の水の凍結膨張による破損などを防止するために給湯装置１０の水抜きを行うと、それに伴って、湯張制御装置１００内の水抜きが可能である。図３は、湯張制御装置１００からの水抜きの様子を示した説明図である。まず、図３（ａ）には、水抜き前の状態が示されており、図示した例は、電磁弁１０３を閉じることで湯張りを停止した状態となっている。電磁弁１０３を閉じると、電磁弁１０３よりも下流側では給湯装置１０からの湯水が供給されなくなるので、湯水の圧力が低下し、開弁圧を下回ることによって第１逆止弁１０４および第２逆止弁１０５が閉弁状態となる。このとき、電磁弁１０３から第２逆止弁１０５までの間の圧力は、第１逆止弁１０４や第２逆止弁１０５の開弁圧よりは低いものの、大気圧よりも高い正圧に保たれる。また、大気開放弁１０６は、上水圧力配管５を通じて供給される上水の圧力により、第１逆止弁１０４と第２逆止弁１０５との間の正圧や開弁バネ１０６ｄの付勢力に抗して、閉弁状態となっている。
【００２４】
給湯装置１０の水抜きの際には、給水配管４の給水元栓４ａを閉じて上水の供給を停止した後、水抜栓３および水抜栓２１（図１参照）を開ける。すると、上水圧力配管５内の水が水抜栓３から排出されて圧力が低下するので、図３（ｂ）に示されるように、大気開放弁１０６は、第１逆止弁１０４と第２逆止弁１０５との間の正圧や開弁バネ１０６ｄの付勢力によって開弁状態となる。その結果、第１逆止弁１０４と第２逆止弁１０５との間の水が大気開放弁１０６から排出される。このとき、本実施例では、電磁弁１０３と第１逆止弁１０４との間に水が残ったままであるが、この水が凍結する際に膨張すると、その圧力によって第１逆止弁１０４が開弁状態となり、結果的に大気開放弁１０６から水が排出されるので、湯張制御装置１００に破損が生じることはない。また、給湯装置１０の水抜きに際して操作される図示しない水抜きスイッチの操作が検出されると、電磁弁１０３を開くことで、電磁弁１０３と第１逆止弁１０４との間の水が水抜栓２１から排出されるようにしてもよい。尚、第１逆止弁１０４を省略した場合には、大気開放弁１０６が開放状態になると、電磁弁１０３と第２逆止弁１０５との間の水が大気開放弁１０６から速やかに排出される。
【００２５】
ただし、湯張りを停止した後に循環ポンプ３８を作動させて追い焚きを行っていた場合には、同様に給湯装置１０の水抜きを行っても、湯張制御装置１００内の水抜きができない場合がある。図４は、湯張制御装置１００内の水抜きができない場合を例示した説明図である。まず、図４（ａ）には、追い焚き中の湯張制御装置１００内の様子が示されている。前述したように追い焚きのために循環ポンプ３８を作動させると、浴槽２内の湯水が吸い出されて風呂戻り配管３２を通じて風呂熱交換器１５に送られる。このとき、第２逆止弁１０５の下流側で循環ポンプ３８と接続された給湯配管２０内の湯水も吸引されるので、第２逆止弁１０５の下流側には大気圧よりも低い負圧が発生する。その負圧と大気圧との差が第２逆止弁１０５の開弁圧と大気圧との差を上回ると、閉弁バネ１０５ｂの付勢力に抗して弁体１０５ａが下流側に引き込まれて、第２逆止弁１０５が開弁状態となる。その結果、第１逆止弁１０４と第２逆止弁１０５との間は、湯水が吸引されて負圧になる。また、第１逆止弁１０４も同様に下流側の負圧によって開弁状態となることで、電磁弁１０３と第１逆止弁１０４との間が負圧になる。図４中のハッチングを付した部分は負圧になっていることを表している。尚、追い焚き中は、電磁弁１０３が閉じられているため、循環ポンプ３８の作動による負圧が電磁弁１０３よりも上流側の給湯配管２０に及ぶことはない。
【００２６】
その後、追い焚きの終了に伴って循環ポンプ３８の動作が停止すると、湯張制御装置１００の下流側では湯水が吸引されなくなるので、図４（ｂ）に示されるように、閉弁バネ１０４ｂ，１０５ｂの付勢力によって弁体１０４ａ，１０５ａが上流側に押し戻されて、第１逆止弁１０４および第２逆止弁１０５が閉弁状態となる。このとき、電磁弁１０３から第２逆止弁１０５までの間には、逆止弁１０４，１０５の開弁圧（閉弁バネ１０４ｂ，１０５ｂの付勢力）に応じた負圧が保持されたままとなる。
【００２７】
そして、図４（ｂ）の状態で、給湯装置１０の水抜きのために給水元栓４ａを閉じるのに伴って上水圧力配管５内の上水の供給圧力が低下しても、第１逆止弁１０４と第２逆止弁１０５との間に保持された負圧によって弁体１０６ｃを二次室１０６ｂ側に引き込む力が開弁バネ１０６ｄの付勢力よりも大きい場合には、大気開放弁１０６が開弁せずに閉弁状態のままである。その結果、第１逆止弁１０４と第２逆止弁１０５との間の水が排出されずに残ってしまう。そこで、本実施例の湯張制御装置１００では、追い焚きが行われた場合でも第１逆止弁１０４と第２逆止弁１０５との間の水抜きを可能とするために、コントローラ５０によって実行される以下のような電磁弁制御処理に従って電磁弁１０３を開閉させている。
【００２８】
図５は、コントローラ５０によって実行される電磁弁制御処理を示すフローチャートである。電磁弁制御処理では、まず、湯張りを実行するか否かを判断する（ＳＴＥＰ１００）。この判断は、コントローラ５０と接続された図示しない湯張りスイッチの操作に基づいて行われ、湯張りスイッチの操作が検出されれば湯張りを実行し、湯張りスイッチの操作が検出されなければ湯張りを実行しない。
【００２９】
そして、湯張りを実行する場合は（ＳＴＥＰ１００：ｙｅｓ）、電磁弁１０３を開弁する（ＳＴＥＰ１０２）。すると、前述したように給湯装置１０から供給される湯水の圧力によって第１逆止弁１０４および第２逆止弁１０５が開弁状態となるので、湯水を通過させて浴槽２に湯張りが行われる。
【００３０】
続いて、湯張りを停止するか否かを判断する（ＳＴＥＰ１０４）。本実施例では、浴槽２内の湯量が設定湯量に達するか、湯張り中に湯張りスイッチの操作が検出されるかの何れかの停止条件が成立することで、湯張りを停止する。何れの停止条件も成立しておらず湯張りを停止しない場合は（ＳＴＥＰ１０４：ｎｏ）、何れかの停止条件が成立して湯張りを停止するまで待機する。そして、湯張りを停止する場合は（ＳＴＥＰ１０４：ｙｅｓ）、電磁弁１０３を閉弁する（ＳＴＥＰ１０６）。これにより、給湯装置１０からの湯水の供給が遮断されるので、図３（ａ）を用いて前述したように、第１逆止弁１０４および第２逆止弁１０５が閉弁状態となり、電磁弁１０３から第２逆止弁１０５までの間の圧力は正圧に保たれる。
【００３１】
一方、ＳＴＥＰ１００の判断において、湯張りを実行しない場合は（ＳＴＥＰ１００：ｎｏ）、ＳＴＥＰ１０２〜ＳＴＥＰ１０６の処理を省略し、続いて、追い焚きの終了後であるか否かを判断する（ＳＴＥＰ１０８）。前述したようにコントローラ５０は、循環ポンプ３８と接続されており、循環ポンプ３８を作動させた後に停止させていれば、追い焚きの終了後であると判断し、循環ポンプ３８を作動させていない、あるいは循環ポンプ３８が動作中であれば、追い焚きの終了後ではないと判断する。
【００３２】
そして、追い焚きの終了後である場合は（ＳＴＥＰ１０８：ｙｅｓ）、電磁弁１０３を開弁する（ＳＴＥＰ１１０）。図４（ｂ）を用いて前述したように追い焚きの終了後（循環ポンプ３８の動作停止後）は、電磁弁１０３から第２逆止弁１０５までの間に負圧が保持されたままであり、電磁弁１０３を開弁することで、給湯装置１０から湯水が供給されるので、電磁弁１０３から第２逆止弁１０５までの間の負圧を解消することができる。
【００３３】
電磁弁１０３を開弁したら、所定時間が経過したか否かを判断し（ＳＴＥＰ１１２）、所定時間が経過していない場合は（ＳＴＥＰ１１２：ｎｏ）、所定時間が経過するまで待機する。この所定時間は、給湯装置１０からの湯水の供給によって電磁弁１０３から第２逆止弁１０５までの間の負圧が解消されるのに十分な時間（例えば１秒）が設定されている。そして、所定時間が経過した場合は（ＳＴＥＰ１１２：ｙｅｓ）、電磁弁１０３を閉弁する（ＳＴＥＰ１１４）。これにより、図３（ａ）に示した湯張りの停止後と同様の状態となる。
【００３４】
一方、ＳＴＥＰ１０８の判断において、追い焚きの終了後ではない場合は（ＳＴＥＰ１０８：ｎｏ）、循環ポンプ３８の作動による負圧を解消する必要がないので、ＳＴＥＰ１１０〜ＳＴＥＰ１１４の処理を省略し、電磁弁制御処理の先頭に戻って、上述した一連の処理を繰り返す。
【００３５】
以上に説明したように、本実施例の湯張制御装置１００では、浴槽２に湯張りするために電磁弁１０３を開弁するだけでなく、追い焚きが行われて循環ポンプ３８の動作が停止した後にも、電磁弁１０３を所定時間だけ開弁して給湯装置１０から湯水を供給することで、循環ポンプ３８の吸引によって生じた電磁弁１０３から第２逆止弁１０５までの間の負圧を解消するようになっている。こうして負圧を解消しておけば、追い焚きが行われた後であっても、給湯装置１０の水抜きの際に給水元栓４ａを閉じるのに伴って上水の供給圧力が低下すると、大気開放弁１０６が開弁バネ１０６ｄの付勢力によって開弁状態となるので、第１逆止弁１０４と第２逆止弁１０５との間の水を大気開放弁１０６から排出することが可能となる。
【００３６】
上述した本実施例の湯張制御装置１００には、次のような変形例も存在する。以下では、上述の実施例とは異なる点を中心に変形例について説明する。
【００３７】
上述の湯張制御装置１００では、追い焚きの終了後（循環ポンプ３８の動作停止後）に、その都度、電磁弁１０３を開弁することで、電磁弁１０３から第２逆止弁１０５までの間の負圧を解消するようになっていた。ただし、追い焚きの終了後の電磁弁１０３の開弁（負圧の解消）は、必ずしも毎回行わなければならないわけではなく、少なくとも湯張制御装置１００の水抜きの際に負圧が解消されていればよい。
【００３８】
変形例の湯張制御装置１００を備える風呂給湯システム１には、給湯装置１０の水抜きに際して操作される図示しない水抜きスイッチが設けられており、変形例の電磁弁１０３は、水抜きスイッチの操作が検出されたことを契機として、開弁するようになっている。こうした電磁弁１０３の制御を実現するために、電磁弁制御処理（図５参照）では、ＳＴＥＰ１０８の判断において、追い焚きの終了後である場合は（ＳＴＥＰ１０８：ｙｅｓ）、続いて、水抜きスイッチの操作が検出されたか否かを判断する。そして、水抜きスイッチの操作が検出された場合は、電磁弁１０３を開弁した後、所定時間が経過したら電磁弁１０３を閉弁する（ＳＴＥＰ１１０〜ＳＴＥＰ１１４）。一方、水抜きスイッチの操作が検出されない場合は、ＳＴＥＰ１１０〜ＳＴＥＰ１１４の処理を省略して、電磁弁制御処理の先頭に戻る。
【００３９】
このような変形例の湯張制御装置１００では、追い焚きの終了毎に電磁弁１０３を開弁する必要がなく、追い焚きの終了後に水抜きスイッチの操作が検出された場合にだけ電磁弁１０３を開弁すればよいので、より簡便に第１逆止弁１０４と第２逆止弁１０５との間の水抜きを実現することが可能となる。
【００４０】
以上、本実施例および変形例の湯張制御装置１００について説明したが、本発明は上記の実施例および変形例に限られるものではなく、その要旨を逸脱しない範囲において種々の態様で実施することが可能である。
【００４１】
例えば、前述した実施例および変形例では、追い焚きのために循環ポンプ３８を作動させていたが、循環ポンプ３８の作動は追い焚き時に限られない。例えば、冬期に循環配管３０内の水の凍結を防止するための凍結防止運転として循環ポンプ３８を作動させてもよく、この場合は、凍結防止運転が終了すると、電磁弁１０３から第２逆止弁１０５までの間に負圧が保持されたままになる。そこで、凍結防止運転の終了後に、電磁弁１０３を開弁することで、電磁弁１０３から第２逆止弁１０５までの間の負圧を解消しておけば、凍結防止運転が行われた後でも、給湯装置１０の水抜きに伴って第１逆止弁１０４と第２逆止弁１０５との間の水抜きが可能となる。
【符号の説明】
【００４２】
１…風呂給湯システム、      ２…浴槽、                ３…水抜栓、
４…給水配管、              ４ａ…給水元栓、          ５…上水圧力配管、
６…ガス配管、              ７…給湯ガス電磁弁、      ８…風呂ガス電磁弁、
１０…給湯装置、            １１…燃焼ファン、        １２…給湯バーナー、
１３…風呂バーナー、        １４…給湯熱交換器、      １５…風呂熱交換器、
２０…給湯配管、            ２１…水抜栓、            ２２…カラン、
３０…循環配管、            ３２…風呂戻り配管、      ３４…風呂往き配管、
３６…循環金具、            ３８…循環ポンプ、        ５０…コントローラ、
１００…湯張制御装置、      １０１…フィルター、      １０２…流量センサー、
１０３…電磁弁、            １０４…第１逆止弁、      １０５…第２逆止弁、
１０６…大気開放弁。
【図１】
0006393654.tif 000002
【図２】
0006393654.tif 000003
【図３】
0006393654.tif 000004
【図４】
0006393654.tif 000005
【図５】
0006393654.tif 000006